(57)【要約】【課題】  熱による殺菌作用を利用した簡単な装置として、主として一般家庭の室内に配置して用いることができるようにした殺菌器を提供する。【解決手段】  支持部材５により立設状態に保持される筒状の断熱カバー３と、該断熱カバー内の下部に配設した通電による発熱体４とを備える。上記断熱カバー３は、その内部を上下に貫通して空気を流通可能にした加熱筒１０と、外郭を形成する保護カバー１１との間に、断熱材１２を収容してなり、上記発熱体４は、断熱カバー３における加熱筒１０の下部に、該加熱筒及びその内部の空気を加熱して、外部から加熱筒下部内に流入した空気を加熱して上昇させるように配置される。【選択図】        図１
2005143879.tif 000002
【特許請求の範囲】
【請求項１】
支持部材により立設状態に保持される筒状の断熱カバーと、該断熱カバー内の下部に配設した通電による発熱体とを備え、
上記断熱カバーは、その内部を上下に貫通して空気を流通可能にした加熱筒と、外郭を形成する保護カバーとの間に、断熱材を収容してなり、
上記発熱体は、断熱カバーにおける加熱筒の下部に、該加熱筒及びその内部の空気を加熱して、外部から加熱筒下部内に流入した空気を加熱して上昇させるように配置されている、
ことを特徴とする殺菌器。
【請求項２】
支持台上に、加熱筒内への空気流入間隙が形成されている支持部材を介して断熱カバーを立設した、
ことを特徴とする請求項１に記載の殺菌器。
【請求項３】
上記支持部材の上部の固定筒上に突出させて上記発熱体を交換可能に配設し、
上記断熱カバーにおける外郭の保護カバーを断熱材と共に離脱自在として、該加熱筒の下部口金を上記固定筒に着脱自在に螺挿し、
この加熱筒の取り外しにより上記発熱体を交換可能にした、
ことを特徴とする請求項２に記載の殺菌器。
【請求項４】
上記支持部材の上部の固定筒上に、中心孔を貫通して上記発熱体を突出させる反射板を配設し、
該反射板及び上記加熱筒の下部口金に、外部からの空気を発熱体の周囲に流入させる開孔を設けた、
ことを特徴とする請求項３に記載の殺菌器。
【請求項５】
上記加熱筒に、空気の流通量を調整する調整機構を設けた、
ことを特徴とする請求項１〜４のいずれかに記載の殺菌器。
【請求項６】
上記発熱体が白熱ランプである、
ことを特徴とする請求項１〜５のいずれかに記載の殺菌器。    
【発明の詳細な説明】
【技術分野】
【０００１】
本発明は、殺菌器に関し、より詳しくは、主として一般家庭の室内に設備して熱により空気中の細菌その他の病原体を死滅させる殺菌器に関する。
【背景技術】
【０００２】
細菌その他の病原体による感染症についての関心が高まっている昨今においては、人混みから帰宅したものがうがいや手洗いによって自分の身を感染症からまもるのは兎も角として、老人や乳幼児、あるいは病弱者がいる一般家庭の室内においても、空気中にそれらの病原体が浮遊している筈であり、それらに対する対策も望まれている。これに対し、一般に知られている殺菌のための手段としては、主として、煮沸、殺菌剤、紫外線等が用いられるが、煮沸は器具類に限られ、殺菌剤や紫外線は、ある程度の規模の病院等では用いることができても、一般家庭における室内の空気中の病原体に対して用いるのには適さないものである。
【発明の開示】
【発明が解決しようとする課題】
【０００３】
本発明の課題は、殺菌のための特別な物質ないしは特別なランプ等を用いることなく、熱による殺菌作用を利用した簡単な装置として、主として一般家庭の室内に配置して用いることができるようにした殺菌器を提供することにある。
【課題を解決するための手段】
【０００４】
上記課題を解決するための本発明の殺菌器は、支持部材により立設状態に保持される筒状の断熱カバーと、該断熱カバー内の下部に配設した通電による発熱体とを備え、上記断熱カバーは、その内部を上下に貫通して空気を流通可能にした加熱筒と、外郭を形成する保護カバーとの間に、断熱材を収容してなり、上記発熱体は、断熱カバーにおける加熱筒の下部に、該加熱筒及びその内部の空気を加熱して、外部から加熱筒下部内に流入した空気を加熱して上昇させるように配置されていることを特徴とするものである。
【０００５】
本発明の殺菌器の好ましい実施形態においては、上記加熱筒の空気排出口に、空気の排出量を調整する空気調整機構が設けられ、また、支持台上に、加熱筒内への空気流入間隙が形成されている支持部材を介して断熱カバーが立設される。
本発明の殺菌器の好ましい他の実施形態においては、上記支持部材の上部の固定筒上に突出させて上記発熱体を交換可能に配設し、上記断熱カバーにおける外郭の保護カバーを断熱材と共に離脱自在として、該加熱筒の下部口金を上記固定筒に着脱自在に螺挿し、この加熱筒の取り外しにより上記発熱体が交換可能に構成される。
【０００６】
更に、本発明の殺菌器の好ましい他の実施形態においては、上記支持部材の上部の固定筒上に、中心孔を貫通して上記発熱体を突出させる反射板を配設し、該反射板及び上記加熱筒の下部口金に、外部からの空気を発熱体の周囲に流入させる開孔が設けられる。
また、上記加熱筒には、空気の流通量を調整する調整機構を設けることができ、上記発熱体としては白熱ランプが適している。
【０００７】
上記構成を有する殺菌器は、発熱体に通電すると、筒状の断熱カバー内の加熱筒の下部において、該加熱筒及びその内部の空気が加熱され、外部から加熱筒下部内に流入した空気がその加熱に伴って加熱筒内を上昇し、これが繰り返されて周囲の空気が順次加熱筒内を上昇し、その間に空気中の細菌その他の病原体が高温になっている上記発熱体や加熱筒内面に接触し、あるいは加熱された空気と接触することにより死滅する。
このように、上記殺菌器では、空気の流れを発熱体による加熱で発生する対流によって生じさせ、しかもその熱によって細菌等の病原体を死滅させるので、効率的であると同時に、狭い室内で使用しても音が発生しない。また、断熱カバーによって全体を覆っているので安全である。
【発明の効果】
【０００８】
上述した本発明の殺菌器によれば、殺菌のための特別な物質ないしは特別なランプ等を用いることなく、電気の発生熱による殺菌作用を利用した簡単な装置として、主として一般家庭の室内に配置して用いるのに適した殺菌器を得ることができる。
【発明を実施するための最良の形態】
【０００９】
以下に、本発明に係る殺菌器の実施の形態を、図に示す実施例に基づいて詳細に説明する。
この殺菌器は、主として一般家庭における比較的小さな部屋を対象とするもので、概略的には、図１に示すように、支持台２と、該支持台上に立設状態に保持される筒状の断熱カバー３と、該断熱カバー３内の下部に配設した殺菌のための通電による発熱体４と、上記支持台２上に断熱カバー３を支持する支持部材５とを備えている。
【００１０】
更に具体的に説明すると、上記支持台２上に立設にされる、上記断熱カバー３は、その内部を上下に貫通して空気を流通可能にしたアルミニウム製の加熱筒１０と外郭を形成する保護カバー１１との間に、断熱材１２を収容したものである。上記加熱筒１０は、殺菌が効率よく行われるように比較的長尺であり、加熱空気の温度低下を可及的に防ぐために断熱材１２で囲んで断熱を図ると共に、その内部で発熱体４により加熱された空気の対流を促進するものである。また、上記断熱材１２としては、例えばグラスウール材等が用いられる。この断熱材１２により、加熱筒１０からの熱の散逸を可及的に防止できると同時に、保護カバー１１の昇温が抑制される。
【００１１】
一方、上記支持台２上に断熱のために微小間隙を介してネジ６ａで固定された支持プレート６により保持され、それによって上記支持台２上に固定された支持部材５は、断熱カバー３の加熱筒１０内への空気流入間隙８を形成するための格子状枠７と、その上部に連設した固定筒９とを備え、該固定筒９に上記断熱カバー３の加熱筒１０の下部口金１０ａを着脱可能に螺挿することにより、該加熱筒１０を立設状態に保持している。
また、上記断熱カバー３の保護カバー１１は、複数の支持スリーブ１４を介して支持台２上にネジ１５で離脱自在に固定されている。
【００１２】
上記発熱体４は、その熱発生部を白熱ランプ１６により構成し、そのランプ１６のソケット１７を上記支持台２上の支持プレート６に複数の脚１８で固定し、該ランプ１６を、上記加熱筒１０内の下部において、上記支持部材５の格子状枠７の上部に位置する固定筒９上に突出させるように配設している。なお、上記ソケット１７に接続された電気コード１９は、支持台２内を通して外部に導出している。
【００１３】
従って、上記断熱カバー３における外郭の保護カバー１１を断熱材１２と共に上方に離脱させ、また加熱筒１０の下部口金１０ａを上記固定筒９から螺脱することにより、支持部材５の上部の固定筒９上に突出させた白熱ランプ１６を交換することができる。
なお、上記発熱体４としては、図示したような白熱ランプ１６が適しているが、それに限るものではなく、ニクロム線などの電気ヒータその他の電気的な熱を発生する各種発熱体を用いることができる。
【００１４】
一方、上記支持台２上に固定された支持部材５は、断熱カバー３の加熱筒１０内への空気流入間隙８を形成するための格子状枠７と、その上部に連設した固定筒９とを備え、該固定筒９に上記断熱カバー３の加熱筒１０の下部口金１０ａを着脱可能に螺挿することにより、該加熱筒１０を立設状態に保持している。
また、上記断熱カバー３の保護カバー１１は、複数の支持杆１４を介して支持台２上にネジ１５で離脱自在に固定されている。
【００１５】
上記発熱体４は、その熱発生部を白熱ランプ１６により構成し、そのランプ１６のソケット１７を上記支持台２上に複数の脚１８で固定し、当該ランプ１６を、上記加熱筒１０内の下部において、上記支持部材５の格子状枠７の上部に位置する固定筒９上に突出させるように配設している。なお、上記ソケット１７に接続された電気コード１９は、支持台２内を通して外部に導出している。
従って、上記断熱カバー３における外郭の保護カバー１１を断熱材１２と共に上方に離脱させ、また加熱筒１０の下部口金１０ａを上記固定筒９から螺脱することにより、支持部材５の上部の固定筒９上に突出させた白熱ランプ１６を交換することができる。
なお、上記発熱体４としては、図示したような白熱ランプ１６が適しているが、それに限るものではなく、ニクロム線などの電気ヒータその他の電気的な熱を発生する各種発熱体を用いることができる。
【００１６】
上記支持部材５の上部の固定筒９上には、中心孔２１を貫通して上記白熱ランプ１６を突出させる反射板２０を配設し、該反射板２０を、固定筒９に対する加熱筒１０の下部口金１０ａの螺挿時に、それらの間にワッシャー状のリング２５を介して挟持させている。この反射板２０は、白熱ランプ１６で発生した熱が可及的に下方に伝達されないように、それ反射させるものである。また、該反射板２０の周辺部及び上記加熱筒１０の下部口金１０ａに、外部からの空気を白熱ランプ１６の周囲に流入させるための多数の開孔２１，２２が設けられている。
これにより、上記白熱ランプ１６への通電で、加熱筒１０が加熱されると同時に、上記支持部材５の格子状枠７における空気流入間隙８から上記開口２１，２２を通して白熱ランプ１６の周囲に流入した空気が加熱され、昇温した空気が加熱筒１０内を上昇するように構成している。
【００１７】
また、上記加熱筒１０の上端の空気排出口には、空気の流通量を調整する調整機構３０として、図１に鎖線で示したように、多数の開孔を有する２枚の板を回転可能に積層し、必要に応じて開口面積を調整できるようにしたシャッター装置等を設け、上記開孔の開度を調整して空気流通量を変更することにより、加熱筒１０内の温度を調整することができる。
【００１８】
上記構成を有する殺菌器は、発熱体４を構成する白熱ランプ１６に通電すると、筒状の断熱カバー３内の加熱筒１０の下部において、該加熱筒１０及びその内部の空気が加熱され、外部から加熱筒下部内に流入した空気がその加熱に伴って加熱筒１０内を上昇し、これが繰り返されて室内の空気が順次加熱筒１０内を上昇し、その間に空気中の細菌その他の病原体が高温になっている上記発熱体４や加熱筒１０の内面に接触し、あるいは加熱された空気と接触することにより死滅する。
このように、上記殺菌器では、空気の流れを発熱体４による加熱で発生する対流によって生じさせ、しかもその熱によって細菌等の病原体を死滅させるので、効率的であると同時に、狭い室内で使用しても音が発生しない。また、断熱カバー３によって全体を覆っているので安全である。
【００１９】
図示した殺菌器による本発明者の実験によると、表１に示すような昇温温度特性が得られている。この実験結果によれば、加熱筒１０及びその内部を流れる空気はかなり高温になるので、対流により加熱筒１０内を空気が流通することにより、空気中の細菌等の病原体が死滅することが明らかである。また、保護カバー１１の温度を低下させるために、断熱材１２の断熱効果をより一層高めるのが望ましい。
【００２０】
【表１】
2005143879.tif 000003
【００２１】
以上においては本発明の望ましい実施例について説明したが、本発明の技術的範囲はかかる実施例によって限定的に解されるべきではなく、特許請求の範囲の精神を逸脱しない範囲内で種々の変形が可能であり、例えば、この殺菌器を壁面に取り付けるような場合には、前記支持台２が壁面取付金具等に変更される。
【図面の簡単な説明】
【００２２】
【図１】本発明の実施例の一部を破断した正面図である。
【図２】上記実施例の要部拡大断面図である。
【図３】上記実施例における反射板の分解斜視図である。
【符号の説明】
【００２３】
２      支持台
３      断熱カバー
４      発熱体
５      支持部材
９      固定筒
１０      加熱筒
１０ａ    下部口金
１１      保護カバー
１２      断熱材
１６      白熱ランプ
２０      反射板
２１      中心孔
２２，２３    開孔
３０      調整機構
【図１】
2005143879.tif 000004
【図２】
2005143879.tif 000005
【図３】
2005143879.tif 000006